(57)【要約】【課題】  径が異なる円筒型の電池をそれぞれ装着する利便性に優れた電池ボックスを提供すること。【解決手段】  両端に正極及び負極をそれぞれ有する円筒型の電池を収納する収納部１１０と、正極に接触する第１端子部１２１と、負極に接触する第２端子部１２２とを備えた電池ボックス１００において、当該電池ボックス１００は、電池として第１の電池２１と、第１の電池２１よりも径の小さい第２の電池２２とをそれぞれ装着するものであり、収納部１１０の壁面には、第２の電池２２を支えるスタンド１３０を起倒可能に設け、第１の電池２１は、スタンド１３０を倒した状態で装着し、第２の電池２２は、スタンド１３０を起した状態で装着するようにした。【選択図】図２
2014029767.tif 000002
【特許請求の範囲】
【請求項１】
両端に正極及び負極をそれぞれ有する円筒型の電池を収納する収納部と、前記正極に接触する第１端子部と、前記負極に接触する第２端子部とを備えた電池ボックスにおいて、
当該電池ボックスは、前記電池として第１の電池と、前記第１の電池よりも径の小さい第２の電池とをそれぞれ装着するものであり、
前記収納部の壁面には、前記第２の電池を支えるスタンドを起倒可能に設け、
前記第１の電池は、前記スタンドを倒した状態で装着し、
前記第２の電池は、前記スタンドを起した状態で装着するようにしたことを特徴とする電池ボックス。
【請求項２】
前記スタンドは、これを倒した状態において前記第１の電池の円筒面と合致する第１湾曲部と、これを起した状態において前記第２の電池の円筒面と合致する第２湾曲部とを備えていることを特徴とする請求項１記載の電池ボックス。
【請求項３】
前記スタンドは、可撓性を有する部材であり、
前記第２の電池は、前記スタンドの可撓性を利用して前記第２湾曲部に嵌め込むようにしたことを特徴とする請求項１又は２記載の電池ボックス。
【請求項４】
前記収納部の壁面には、前記スタンドを倒した状態でこれを収める凹部を設けたことを特徴とする請求項１乃至３のいずれか記載の電池ボックス。
【請求項５】
前記スタンドを起した状態でこれをロックするスタンドロック手段を備えていることを特徴とする請求項１乃至４のいずれか記載の電池ボックス。
【発明の詳細な説明】
【技術分野】
【０００１】
本発明は、円筒型の電池を装着する電池ボックスに関する。
【背景技術】
【０００２】
電池を電源とする電子機器には、使用する電池の規格に応じて所定の電池ボックスが設けられている。両端に正極及び負極をそれぞれ有する円筒型の電池を使用する電子機器の場合、その電池ボックスは、電池を収納する収納部と、正極に接触する端子部と、負極に接触する端子部とを備え、少なくとも一方の端子部が電池を押え付けるばね性を有する構造となっている。特に、収納部の開口が電池の側面を露呈し、且つ負極側の端子部をコイルばねとしたものがよく知られている。
【０００３】
また、電池ボックスとしては、特許文献１乃至９等にも開示されているように、異なる規格の電池をそれぞれ装着するように工夫されたものも知られている。
【０００４】
円筒型の電池の規格は様々である。規格が異なる電池としては、単２形電池及び単３形電池のように、円筒軸方向の寸法が同じ又はほぼ同じであって径が異なるものがある。そのような電池をそれぞれ共通の電池ボックスに装着する場合は、径の小さい電池にスペーサを装着することにより、径の大きい電池との互換性を確保することが可能である。
【先行技術文献】
【特許文献】
【０００５】
【特許文献１】特許第２９４４０３０号公報
【特許文献２】特許第３２６３２３６号公報
【特許文献３】特許第４８１０１０３号公報
【特許文献４】実開昭６２−１５５４６９号公報
【特許文献５】特開２００５−１７４６７３号公報
【特許文献６】特開２００６−２２１８２４号公報
【特許文献７】特開２００６−２６９１９３号公報
【特許文献８】特開２００７−３２４０３２号公報
【特許文献９】特開２００７−３５３９６号公報
【発明の概要】
【発明が解決しようとする課題】
【０００６】
さて、電子機器は電池切れの際に電池交換を行なうところ、その際に前述したスペーサが手元にないと、径の小さい電池は電池ボックスに装着することができないという事情がある。電池を電源とする電子機器は、携帯型のものも多い。故に、急な電池切れの場合等、状況に応じて適宜対処するためには、別途にスペーサを用意せずとも規格が異なる電池をそれぞれ装着できる構成が望ましいと考えられる。
【０００７】
本発明は、かかる事情に鑑みてなされたものであり、その目的は、径が異なる円筒型の電池をそれぞれ装着する利便性に優れた電池ボックスを提供することである。
【課題を解決するための手段】
【０００８】
本願第１請求項に記載した発明は、両端に正極及び負極をそれぞれ有する円筒型の電池を収納する収納部（１１０）と、前記正極に接触する第１端子部（１２１）と、前記負極に接触する第２端子部（１２２）とを備えた電池ボックス（１００）において、当該電池ボックス（１００）は、前記電池として第１の電池（２１）と、前記第１の電池（２１）よりも径の小さい第２の電池（２２）とをそれぞれ装着するものであり、前記収納部（１１０）の壁面には、前記第２の電池（２２）を支えるスタンド（１３０）を起倒可能に設け、前記第１の電池（２１）は、前記スタンド（１３０）を倒した状態で装着し、前記第２の電池（２２）は、前記スタンド（１３０）を起した状態で装着するようにした構成の電池ボックス（１００）である。
【０００９】
本願第２請求項に記載した発明は、請求項１において、前記スタンド（１３０）は、これを倒した状態において前記第１の電池（２１）の円筒面と合致する第１湾曲部（１３２）と、これを起した状態において前記第２の電池（２２）の円筒面と合致する第２湾曲部（１３３）とを備えている構成の電池ボックス（１００）である。
【００１０】
本願第３請求項に記載した発明は、請求項１又は２において、前記スタンド（１３０）は、可撓性を有する部材であり、前記第２の電池（２２）は、前記スタンド（１３０）の可撓性を利用して前記第２湾曲部（１３３）に嵌め込むようにした構成の電池ボックス（１００）である。
【００１１】
本願第４請求項に記載した発明は、請求項１乃至３のいずれかにおいて、前記収納部（１１０）の壁面には、前記スタンド（１３０）倒した状態でこれを収める凹部（１１１）を設けた構成の電池ボックス（１００）である。
【００１２】
本願第５請求項に記載した発明は、請求項１乃至４のいずれかにおいて、前記スタンド（１３０）を起した状態でこれをロックするスタンドロック手段（１１２，１３４）を備えている構成の電池ボックス（１００）である。
【発明の効果】
【００１３】
本発明によれば、径が異なる円筒型の電池をそれぞれ装着する利便性に優れた電池ボックスを得ることができる。
【図面の簡単な説明】
【００１４】
【図１】本発明の実施例に係り、電子機器を示す正面図である。
【図２】本発明の実施例に係り、電池ボックス（スタンドを倒した状態）を示す説明図である。
【図３】本発明の実施例に係り、電池ボックス（第１の電池を装着した状態）を示す説明図である。
【図４】本発明の実施例に係り、電池ボックス（スタンドを起した状態）を示す説明図である。
【図５】本発明の実施例に係り、電池ボックス（第２の電池を装着した状態）を示す説明図である。
【図６】本発明の実施例に係り、スタンドを示す説明図であり、（ａ）は正面図、（ｂ）は上面図、（ｃ）は下面図、（ｄ）は背面図、（ｅ）は側面図である。
【発明を実施するための形態】
【００１５】
以下に、本発明の実施例を図面に基づいて説明する。図１乃至図５に示す電子機器１は、懐中電灯の機能を備えた防災用の携帯ラジオである。地震等の災害が発生した場合には、これを持って避難し、情報の取得に利用する。
【００１６】
この電子機器１は、両端に正極及び負極をそれぞれ有する円筒型の電池を電源として使用するものである。電子機器１の筐体１０の背面には、電池を装着する電池ボックス１００が設けられている。尚、図例したものは電池蓋を外した状態である。円筒型の電池としては、アルカリ乾電池、マンガン乾電池、ニッケル乾電池、リチウム乾電池、ニッケル・水素乾電池等があり、所定の規格サイズのものを電池ボックス１００に装着して使用する。特に、本例の電池ボックス１００は、径が異なる円筒型の電池をそれぞれ装着することができるものとなっている。以下、電池ボックス１００について詳述する。
【００１７】
本例の電池ボックス１００は、電池を収納する収納部１１０と、電池の正極に接触する第１端子部１２１と、電池の負極に接触する第２端子部１２２とを備えている。電池としては、第１の電池２１と、第１の電池２１よりも径の小さい第２の電池２２とをそれぞれ装着することができる。第１の電池２１は単２形電池であり、第２の電池２２は単３形電池である。収納部１１０の壁面には、第２の電池２２を支えるスタンド１３０が起倒可能に設けられており、第１の電池２１は、スタンド１３０を倒した状態で装着し（図２及び図３参照）、第２の電池２２は、スタンド１３０を起した状態で装着する（図４及び図５参照）。
【００１８】
収納部１１０は、複数の第１の電池２１、又は複数の第２の電池２２を並べて収納するものとなっている。図例したものは、計４本の電池を直列及び並列に並べて収納するものである。
【００１９】
第１端子部１２１は、電池の正極に接触する接触面を凸状に成形してなる金属プレートである。また、第２端子部１２２は、電池の負極に接触するコイルばねである。第１端子部１２１及び第２端子部１２２は、それらを収納部１１０の要所にそれぞれ支持して設けられている。また、第２端子部１２２は電池を押え付けるばね性を有するものであり、第１の電池２１及び第２の電池２２の円筒軸方向における寸法の若干の違いは、第２端子部１２２のばね性により対処することができる構成となっている。
【００２０】
図６に示すように、スタンド１３０は、収納部１１０の壁面要所に回転可能に保持されるヒンジ部１３１を一体に備えたものであり、ヒンジ部１３１を中心に回転して起倒する。収納部１１０の壁面要所には、ヒンジ部１３１を回転可能に保持する保持部が設けられている。
【００２１】
また、本例のスタンド１３０は、これを倒した状態において第１の電池２１の円筒面と合致する第１湾曲部１３２と、これを起した状態において第２の電池２２の円筒面と合致する第２湾曲部１３３とを備えている。このような構成によると、収納部１１０のスペースを有効に利用するとともに、第１の電池２１及び第２の電池２２をそれぞれ安定的に支えることができる。尚、図例した電池ボックス１００は、第１端子部１２１及び第２端子部１２２の間に計４つのスタンド１３０が適宜間隔で設けられている。各スタンド１３０は、並列する２本の電池を支えるものとなっており、各電池は、それぞれ２つのスタンド１３０に支えられる構成となっている。
【００２２】
更に、このスタンド１３０は、可撓性を有する樹脂製の射出成形部材であり、第２の電池２２は、スタンド１３０の可撓性を利用して第２湾曲部１３３に嵌め込む構成となっている。すなわち、収納部１１０のスペースは第１の電池２１の大きさに対応しているので、第２の電池２２の装着時には、外部からの衝撃等により収納部１１０の内部において第２の電池２２の位置がずれてしまう場合も考えられるが、本例の構成によると、そのような不都合を確実に回避することができる。
【００２３】
また、収納部１１０の壁面には、スタンド１３０を倒した状態でこれを収める凹部１１１を設けている。本例のスタンド１３０は薄型のプレート状のものであり、これを倒すと凹部１１１に収まるように構成するとよい。
【００２４】
更に、この電池ボックス１００は、スタンド１３０を起した状態でこれをロックするスタンドロック手段を備えている。本例のロック手段は、収納部１１０及びスタンド１３０の一方に半球状の突片１１２を設けるとともに、それらの他方に突片圧入部１３４を設け、スタンド１３０を起すと突片１１２が突片圧入部１３４に圧入されることにより、スタンド１３０がロックされる構成となっている。このようなスタンドロック手段を設けることによれば、スタンド１３０を起した状態で安定的に支えることができる。電池交換の作業性も確実に向上する。
【００２５】
以上説明したように、本例の電池ボックスは、径が異なる円筒型の電池をそれぞれ装着するべく極めて合理的に構成されたものである。尚、本例における各部の構成は、特許請求の範囲に記載した技術的範囲において適宜に設計変更が可能であり、図例説明したものに限定されないことは勿論である。本例の電池ボックスは、パソコン、テレビ、時計等、その他各種の電子機器に利用することが可能である。
【産業上の利用可能性】
【００２６】
本発明の電池ボックスは、円筒型の電池を電源として使用する電子機器に設けて利用することが可能である。
【符号の説明】
【００２７】
１    電子機器（防災用の携帯ラジオ）
１０    筐体
２１    第１の電池（単２形電池）
２２    第２の電池（単３形電池）
１００    電池ボックス
１１０    収納部
１１１    凹部
１１２    突片
１２１    第１端子部
１２２    第２端子部
１３０    スタンド
１３１    ヒンジ部
１３２    第１湾曲部
１３３    第２湾曲部
１３４    突片圧入部
【図１】
2014029767.tif 000003
【図２】
2014029767.tif 000004
【図３】
2014029767.tif 000005
【図４】
2014029767.tif 000006
【図５】
2014029767.tif 000007
【図６】
2014029767.tif 000008